(57)【要約】【課題】容器を一部開口させた状態で、本蓋を保持できるとともに、剥がした本蓋を閉じた状態で保持できる即席食品用容器の蓋の提供【解決手段】この発明の即席食品用容器の蓋は、本蓋Ａの輪郭とほぼ同じ形状の輪郭部ａを有し、輪郭部ａを差し渡す垂線Ｐを基線として、輪郭部ａを折り返したとき輪郭部ａが位置する位置ｃよりも若干内側に、フランジ部１に嵌着可能な切れ目５を設け、切れ目５の両端部に、切れ目５に連通する短い切れ目ｄと切れ目５の中央部から外側に離隔した直線状の切れ目６とを、それぞれ垂線Ｐと平行に設け、さらに直線状の切れ目６から外側に離隔し、切れ目５の中央部に対向する位置に、摘み片４’を設けてなる副蓋Ｂを、副蓋Ｂの摘み片４’と本蓋Ａの摘み片４とが対向し、かつ副蓋Ｂの輪郭部ａが本蓋Ａの輪郭と重なるように、本蓋Ａ上に配置し、垂線Ｐと輪郭部ａで囲まれた部分を、本蓋Ａの表面に貼付している。【選択図】　図２
2004035050.tif 000002
【特許請求の範囲】
【請求項１】
上縁に外側に突出したフランジ部（１）を有する容器（２）の前記フランジ部（１）に、摘み片（４）を有する本蓋（Ａ）を接着し、前記容器（２）の開口部（３）を密封する構造の即席食品用容器において、前記本蓋（Ａ）の輪郭とほぼ同じ形状の輪郭部（ａ）を有し、該輪郭部（ａ）を差し渡す垂線（Ｐ）を基線として、前記輪郭部（ａ）を折り返したとき、該輪郭部（ａ）が位置する位置（ｃ）によりも若干内側に、前記フランジ部（１）に嵌着可能な切れ目（５）を設け、該切れ目（５）の両端部に、該切れ目（５）に連通する短い切れ目（ｄ）を前記垂線（Ｐ）と平行に設け、前記フランジ部（１）に嵌着可能な切れ目（５）の中央部から外側に離隔して、直線状の切れ目（６）を前記垂線（Ｐ）と平行に設け、さらに該直線状の切れ目（６）から外側に離隔し、前記フランジ部（１）に嵌着可能な切れ目（５）の中央部に対向する位置に、摘み片（４’）を設けてなる副蓋（Ｂ）を、該副蓋（Ｂ）の摘み片（４’）と前記本蓋（Ａ）の摘み片（４）とが対向し、かつ前記副蓋（Ｂ）の輪郭部（ａ）が前記本蓋（Ａ）の輪郭と重なるように、該本蓋（Ａ）上に配置し、前記垂線（Ｐ）と前記輪郭部（ａ）で囲まれた部分を、前記本蓋（Ａ）の表面に貼付したことを特徴とする即席食品用容器の蓋
【発明の詳細な説明】
【０００１】
【発明の属する技術分野】
この発明は、お湯を注ぎ入れることによりラ−メンやウドン等の即席食品を素早く調理できるように構成された即席食品用容器の蓋に係り、詳しくは蓋の構造に関するものである。
【０００２】
【従来の技術】
従来の即席食品用容器は、図５に示すように、上縁に外側に突出したフランジ部１を設けた容器２のフランジ部１に、摘み片４を有する本蓋Ａを接着し、容器２の開口部３を密封する構造であり、調理するときには、本蓋Ａの摘み片４を摘んで、本蓋Ａを剥がし、容器２を１／３乃至１／２程度開口し、この開口部３からお湯を注ぎ入れたのち、本蓋Ａを所定時間だけ閉じるというやり方で調理していたので、次のような問題があった。
【０００３】
▲１▼お湯を注ぎ入れるときは、本蓋Ａが閉じないように、指先等で保持していなけらばならないので、不便であるとともに、指先で本蓋Ａを保持している場合には、お湯が指先にかかるおそれがあり、非常に危険である。
▲２▼お湯を注ぎ入れたのち、本蓋Ａを閉じるときには、本蓋Ａの上に、お皿等の重しを載せるか、又は本蓋Ａの摘み片４を粘着テ−プ等で容器２の側壁面に固定する等の措置を講じなければならないので、不便である。
【０００４】
【発明が解決しようとする課題】
この発明は、従来の技術で記述した問題を解消するためになされたもので、容器を一部開口させた状態で、本蓋を保持できるとともに、剥がした本蓋を閉じた状態で保持できる即席食品用容器の蓋の提供を目的とするものである。
【０００５】
【課題を解決するための手段】
この発明の即席食品用容器の蓋は、上縁に外側に突出したフランジ部を有する容器の前記フランジ部に、摘み片を有する本蓋を接着し、前記容器の開口部を密封する構造の即席食品用容器において、前記本蓋の輪郭とほぼ同じ形状の輪郭部を有し、該輪郭部を差し渡す垂線を基線として、前記輪郭部を折り返したとき該輪郭部が位置する位置よりも若干内側に、前記フランジ部に嵌着可能な切れ目を設け、該切れ目の両端部に、該切れ目に連通する短い切れ目を前記垂線と平行に設け、前記フランジ部に嵌着可能な切れ目の中央部から外側に離隔して、直線状の切れ目を前記垂線と平行に設け、該直線状の切れ目から外側に離隔し、前記フランジ部に嵌着可能な切れ目の中央部に対向する位置に、摘み片を設けてなる副蓋を、該副蓋の摘み片と前記本蓋の摘み片とが対向し、かつ前記副蓋の輪郭部が前記本蓋の輪郭と重なるように、該本蓋上に配置し、前記垂線と前記輪郭部で囲まれた部分を、前記本蓋の表面に貼付したことを特徴とするものである。
【０００６】
【発明の実施の形態】
この発明の実施の形態の一例を図面を参照しながら説明する。
図５に示すように、上縁に外側に突出したフランジ部１を有する容器２のフランジ部１に、摘み片４を有する本蓋Ａを接着し、容器２の開口部３を密封する構造の即席食品用容器において、副蓋Ｂは、図１（ａ）に示すように、本蓋Ａ（図１（ａ）においては、点線で示している）の輪郭とほぼ同じ形状の輪郭部ａを有し、輪郭部ａを差し渡す垂線Ｐを基線として、輪郭部ａを折り返したとき（図１（ａ）においては、左側に折り返す）、輪郭部ａが位置する位置（ｃ）（図１（ａ）において点線で示している）よりも若干内側に、フランジ部１に嵌着可能な切れ目５を設け、切れ目５の両端部に、切れ目５に連通する短い切れ目ｄを垂線Ｐと平行に設け、切れ目５の中央部から外側に離隔して、直線状の切れ目６を垂線Ｐと平行に設け、さらに直線状の切れ目６から外側に離隔し、切れ目５の中央部に対向する位置に、摘み片４’を設けて構成されている。
【０００７】
なお、切れ目５の寸法及び形状は、実験結果から、例えば、円形状の本蓋Ａの場合では、図１（ｂ）に示すように、本蓋Ａ（図１（ｂ）において、点線で示している）の中心０を基点として、本蓋Ａの半径よりも若干小さい半径で円Ｓを描き、ついで本蓋Ａの中心０を基点とする半径方向の線分Ｘを円Ｓの外周まで引き、さらに中心点Ｏを基点として、この線分Ｘから約６０度離隔して、同様の線分Ｙを引いたとき、各線分Ｘ，Ｙと円Ｓの外周との交点ｂ、ｂ’でなす円弧ｚが最も効率的な寸法及び形状であり、フランジ部１に嵌着させたとき、切れ目５がフランジ部１に引き掛かり外れないことを確認している。しかし、この寸法及び形状に限定されるものではなく、フランジ部１に嵌着可能な形状及び寸法を備えた切れ目５であれば、全て適用することができる。
【０００８】
また、円Ｓの半径を選定するに際しては、円Ｓを容器２に重ねたとき、円Ｓの外周がフランジ部１のほぼ中間部に位置するように、円Ｓの半径を選定するのが好ましい。切れ目５の両端部に設けた短い切れ目ｄは、摘み片４’を下方に引っ張り、切れ目５をフランジ部１の下面に嵌入するとき、切れ目５の両端部を開き易くするためのものである。
【０００９】
副蓋Ｂを、図２に示すように、副蓋Ｂの摘み片４’と本蓋Ａの摘み片４とが対向し、かつ副蓋Ｂの輪郭部ａが本蓋（Ａ）の輪郭と重なるように、本蓋Ａ上に配置し、垂線Ｐと輪郭部ａで囲まれた部分を、本蓋Ａの表面に貼付している。
したがって、図２において、副蓋Ｂの垂線Ｐより右側は、本蓋Ａに貼付され本蓋Ａと一体になっているが、切れ目５がある垂線Ｐより左側は、垂線Ｐを基線として、左右に回動自在になっている。
【００１０】
実施に際しては、図３に示すように、本蓋Ａの摘み片４を指先で摘んで、本蓋Ａをフランジ部１から適宜長だけ引き剥がし、反対側（図３において左側）に折り返し、ついで副蓋Ｂの摘み片４’を摘んで、副蓋Ｂの直線状の切れ目６をフランジ部１（図３において左側）に引き掛ける。これで本蓋Ａは開いた状態で保持されるため、本蓋Ａを指先で掴んでおく必要はなくなるので、従来のように指先にお湯をかける心配は全くなく、安全に、容器２の開口部３からお湯を注ぎ入れることができる。
【００１１】
容器２へのお湯の注入が終わると、図４に示すように、副蓋Ｂの直線状の切れ目６をフランジ部１から外し、本蓋Ａを元にもどし、開口部３を閉じ、ついで副蓋Ｂの摘み片４’を摘み、副蓋Ｂの切れ目５をフランジ部１（図４において右側）に嵌着し、切れ目５をフランジ部１に引き掛ける。これで本蓋Ａは閉じた状態で保持され、所定時間経過の後、副蓋Ｂの切れ目５をフランジ部１から外すとともに、本蓋Ａを容器２から除去して、調理されたラ−メン等の内容物を食する。
したがって、従来のように、本蓋Ａの上に、のせる重し等を調達する必要はなくなる。
【００１２】
【発明の効果】
この発明は上述のように構成されているので、次のような効果を呈する。
▲１▼お湯を注ぎ入れるときは、副蓋によって、本蓋Ａが閉じないように、保持させておくことができるので、便利であるとともに、従来のように、指先にお湯をかける等の不具合を防止できる。
▲２▼お湯を注ぎ入れたのち、副蓋によって、本蓋Ａを閉じた状態で保持できるので、便利であり、従来のように、本蓋Ａの上に、のせる重し等を調達する必要がない。
▲３▼構造が簡単であるので、安価に量産ができる。
【図面の簡単な説明】
【図１】（ａ）副蓋の平面図，（ｂ）副蓋の寸法、形状を決める説明図
【図２】副蓋を本蓋に貼付した状態を示す概略斜視図
【図３】使用状態の一例を示す概略斜視図
【図４】使用状態の一例を示す概略斜視図
【図５】従来の実施例を示す概略斜視図
【符号の説明】
１　フランジ部
２　容器
３　開口部
４，４’摘み片
５　切れ目
６　直線状の切れ目
Ａ　本蓋
Ｂ　副蓋
Ｐ　輪郭部を差し渡す垂線
Ｓ　円
Ｘ，Ｙ　線分
ａ　副蓋の輪郭部
ｂ，ｂ’線分Ｘ，Ｙと円Ｓの外周との交点
ｃ　輪郭部ａを差し渡す垂線Ｐを基線として、輪郭部ａを折り返したとき、輪郭部ａが位置する位置
ｄ　短い切れ目
ｚ　円Ｓの外周との交点ｂ、ｂ’でなす円弧
【図１】
2004035050.tif 000003
【図２】
2004035050.tif 000004
【図３】
2004035050.tif 000005
【図４】
2004035050.tif 000006
【図５】
2004035050.tif 000007